(57)【要約】【課題】レバー操作に慣れない者や腕力の小さな者でも比較的容易にレバー操作を行うことができるようにする。【解決手段】略Ｖ字状の蟻溝９を有するベース部材２と、蟻溝に嵌合する取付プレート３と、蟻溝に取付プレートが嵌合した状態で、取付プレートをスライド不能に係止する係止機構４と、蟻溝に嵌合した取付プレートを押し出す押し出し機構６と、固定位置と解除位置との間で回動可能に設けられた操作レバー７と、連動プレート８とを備える。連動プレート８は、操作レバーが固定位置から解除位置に回動されるとき、係止機構が溝に嵌合した取付プレートの係止を解放するとともに、押し出し機構が取付プレートを溝幅が広くなる方向に押し出すよう構成されている。操作レバー７は、回動中心１８ａと握持部７ａとの間に屈曲部７ｂを有する。【選択図】図１
2015094385.tif 000002
【特許請求の範囲】
【請求項１】
略Ｖ字状の溝を有するベース部材と、
前記溝に対して、溝幅が狭くなる方向にスライドして嵌合する略Ｖ字状の取付プレートと、
前記溝に前記取付プレートが嵌合した状態で、当該取付プレートをスライド不能に係止する係止機構と、
前記溝に嵌合した取付プレートを溝幅が広くなる方向に押し出す押し出し機構と、
固定位置と解除位置との間で回動可能に設けられた操作レバーと、
前記操作レバーが固定位置にあるときは、前記押し出し機構が取付プレートを押圧しない非押圧状態にあり、前記操作レバーが固定位置から解除位置に回動されるとき、前記押し出し機構が取付プレートを溝幅が広くなる方向に押し出すよう、前記押し出し機構を前記操作レバーに連動させる連動手段と、
を備える搭載物取付装置であって、
前記操作レバーは、その回動中心と握持部との間に、握持部側が解除位置側から固定位置側に向かって屈曲した屈曲部を有するものであることを特徴とする搭載物取付装置。
【請求項２】
請求項１に記載の搭載物取付装置において、
前記連動手段は、前記操作レバーが固定位置にあるときは、前記係止機構が溝に嵌合した取付プレートをスライド不能に係止し、かつ、前記押し出し機構が取付プレートを押圧しない非押圧状態にあり、前記操作レバーが固定位置から解除位置に回動されるとき、前記係止機構が溝に嵌合した取付プレートの係止を解放するとともに、前記押し出し機構が取付プレートを溝幅が広くなる方向に押し出すよう、前記係止機構および前記押し出し機構を前記操作レバーに連動させるものであることを特徴とする搭載物取付装置。
【請求項３】
請求項１又は２に記載の搭載物取付装置において、
前記操作レバーは、その屈曲部の凸側に窪みが形成されたものであることを特徴とする搭載物取付装置。
【発明の詳細な説明】
【技術分野】
【０００１】
本発明は、テレビカメラ、中継用アンテナなどの搭載物を、所望の搭載場所にワンタッチで取付けるために用いられる搭載物取付装置に関する。特に、搭載物の底部に取付けられた略Ｖ字状の取付プレートを、搭載場所に取付けられたベース部材の略Ｖ字状の溝に嵌合させることにより、搭載物をワンタッチで搭載場所に取付けることのできる搭載物取付装置に関する。
【背景技術】
【０００２】
テレビカメラ、中継用アンテナなどの搭載物を、所望の搭載場所にワンタッチで取付けるための装置は、特許文献１、２に開示されている。これらの特許文献に開示された搭載物取付装置では、搭載物の底部に略Ｖ字状の取付プレートが取り付けられており、搭載場所にこれと嵌合する略Ｖ字状の溝を有するベース部材を取り付けて両者を着脱する構成となっている。ベース部材には、溝の両側部からバネ力により内側に突出する係合爪と、ベース部材の溝にくさび効果により食い込んだ取付プレートをその溝から押し出して離脱させるプレート押し出し機構とが設けられている。
【０００３】
ベース部材の溝に取付プレートを嵌合させる際には、その溝の両側部に設けられた係合爪が取付プレートの側面に押されてベース部材内に後退し、取付プレートが溝に完全に嵌合すると、後退した係合爪は、再び突出して取付プレートの側面に形成された係合用凹部に嵌まり込む。これにより、取付プレートはスライド不能に係止され、嵌合状態が安全に維持される。
【０００４】
取付プレートをベース部材の溝から離脱させる場合は、１つのレバーを操作（回転）するだけで済むようになっている。すなわち、レバーを回転させると、そのレバーの回転に連動して、係合爪による取付プレートの係止状態が解除されるとともに、押し出し機構も作動して、取付プレートが食い込み方向と反対側に押し出され、ベース部材の溝から離脱する。
【先行技術文献】
【特許文献】
【０００５】
【特許文献１】特開平７−１３１６８２号公報
【特許文献２】特開２００９−９７６８５号公報
【発明の概要】
【発明が解決しようとする課題】
【０００６】
ところで、上記従来例に係る搭載物取付装置では、１つのレバー操作で、取付プレートの係止状態を解除するとともに、取付プレートの押し出し機構を作動させることができるが、そのレバー操作に、大きな操作力が必要となることが多い。また、レバーに対する操作力の入れ方に「こつ」必要であり、レバー操作に慣れない者や腕力の小さな者が搭載物の着脱に苦労することがある。もちろん、レバーの回転半径を大きくすれば、小さな操作力でレバー操作を行うことが可能となるが、長くなったレバーが搭載物取付後に各種の作業の邪魔になるおそれがある。また、長くなったレバーに作業者の体などが当たって、意図せず、取付プレートがベース部材の溝から離脱してしまうおそれもある。
【０００７】
本発明は、かかる実情に鑑みて創案されたものであり、レバー操作に慣れない者や腕力の小さな者でも比較的容易にレバー操作を行うことができ、しかも、操作レバーが各種作業の邪魔になりにくい搭載物取付装置を提供することを目的とする。
【課題を解決するための手段】
【０００８】
本発明に係る搭載物取付装置は、略Ｖ字状の溝を有するベース部材と、前記溝に対して、溝幅が狭くなる方向にスライドして嵌合する略Ｖ字状の取付プレートと、前記溝に前記取付プレートが嵌合した状態で、当該取付プレートをスライド不能に係止する係止機構と、前記溝に嵌合した取付プレートを溝幅が広くなる方向に押し出す押し出し機構と、固定位置と解除位置との間で回動可能に設けられた操作レバーと、前記操作レバーが固定位置にあるときは、前記押し出し機構が取付プレートを押圧しない非押圧状態にあり、前記操作レバーが固定位置から解除位置に回動されるとき、前記押し出し機構が取付プレートを溝幅が広くなる方向に押し出すよう、前記押し出し機構を前記操作レバーに連動させる連動手段と、を備える。前記操作レバーは、その回動中心と握持部との間に、握持部側が解除位置側から固定位置側に向かって屈曲した屈曲部を有するものであることを特徴としている。
【０００９】
かかる構成を備える搭載物取付装置によれば、操作レバーが前記した屈曲部を有するので、レバー操作に慣れない者や腕力の小さな者でも、親指を操作レバーに添えることで、比較的容易にレバー操作を行うことができる。また、操作レバーの屈曲部より握持部側がベース部材側に向かって屈曲したものとすれば、操作レバーが各種作業の邪魔になりにくくなる。
【００１０】
前記連動手段は、前記操作レバーが固定位置にあるときは、前記係止機構が溝に嵌合した取付プレートをスライド不能に係止し、かつ、前記押し出し機構が取付プレートを押圧しない非押圧状態にあり、前記操作レバーが固定位置から解除位置に回動されるとき、前記係止機構が溝に嵌合した取付プレートの係止を解放するとともに、前記押し出し機構が取付プレートを溝幅が広くなる方向に押し出すよう、前記係止機構および前記押し出し機構を前記操作レバーに連動させるものであってもよい。
【００１１】
操作レバーと、押し出し機構および係止機構の双方とが連動している場合、レバー操作の負担が大きくなるが、かかる構成を備える搭載物取付装置によれば、レバー操作に慣れない者や腕力の小さな者でも、親指を操作レバーに添えることで、比較的容易にレバー操作を行うことができる。
【００１２】
前記操作レバーは、例えば、その屈曲部の凸側に窪みが形成されたものであることが望ましい。
【００１３】
かかる構成を備える搭載物取付装置によれば、窪みに親指を添えることにより、比較的快適に親指を操作レバー７に押し付けることができる。
【発明の効果】
【００１４】
本発明の搭載物取付装置によれば、レバー操作に慣れない者や腕力の小さな者でも、親指を操作レバーに添えることで、比較的容易にレバー操作を行うことができる。また、容易に操作レバーが各種作業の邪魔になりにくくなるようにすることができる。
【図面の簡単な説明】
【００１５】
【図１】本発明の実施の形態に係る搭載物取付装置であって、操作レバーが固定位置にある状態を示す図である。（ａ）は平面図であり、（ｂ）は底面図である。
【図２】本発明の実施の形態に係る搭載物取付装置であって、操作レバーが解除位置にある状態を示す図である。（ａ）は平面図であり、（ｂ）は底面図である。
【図３】本発明の実施の形態に係る搭載物取付装置の側面図である。
【図４】本発明の実施の形態に係る搭載物取付装置の側面図である。但し、取付プレートは蟻溝から取り外されている。
【図５】（ａ）は操作レバーを、親指を添えて、右手で掴んだ状態を示す図である。（ｂ）は力関係を示す図である。
【図６】（ａ）は操作レバーを、親指を添えずに、右手で掴んだ状態を示す図である。（ｂ）は力関係を示す図である。
【発明を実施するための形態】
【００１６】
以下、本発明の実施の形態に係る搭載物取付装置について図面を参照しつつ説明する。図１〜図３に示すように、搭載物取付装置１は、ベース部材２、取付プレート３、係止機構４、押し出し機構６、操作レバー７、連動プレート８などで構成されている。
【００１７】
ベース部材２は、上から視て正方形の板材に略Ｖ字状の蟻溝９が形成されたもので構成されている。ここで、蟻溝９は、図３および図４に示すように、蟻溝９に嵌合した取付プレート３が板厚方向に離脱しないように、断面が、溝底９ａから上方の開口に向かって両側壁９ｂの離間距離が小さくなるように、当該両側壁９ｂが傾斜した溝（つまり、溝の両側壁９ｂの断面がハの字になった溝）である。なお、本実施形態では、ベース部材２の蟻溝９が設けられた側の面を「表面」といい、その反対側の面を「裏面」という。
【００１８】
ベース部材２の蟻溝９の両側部には、後述する係合爪１３を出没させるための爪孔が形成されており、ベース部材２の裏面には、後述する連動プレート８をガイドするガイド溝１６が形成されている。ベース部材２に形成された孔１７（図１参照）は、ボルト挿通用の孔であり、搭載物の搭載場所にこのベース部材２をボルトにて取り付けるために四隅に設けられている。なお、ベース部材２の下面は、図３に示すように、搭載場所に設置された基台５やその他の部材により覆われる。
【００１９】
取付プレート３は、ベース部材２の蟻溝９に対して、溝幅が狭くなる方向にスライドして嵌合する略Ｖ字状のプレートである。この取付プレート３の側面３ａの上下方向の傾斜、Ｖ字角度、その他の寸法は、ベース部材２の蟻溝９に対応したものとなっている。取付プレート３の幅狭側端部３ｃと幅広側端部３ｄは、プレート底面３ｂに垂直な端面を形成している。例えば図３に示すように、取付プレート３は、搭載物１０の底面にボルト等により取付けられる。以下、本実施形態では、取付プレート３の幅狭側端部３ｃ側を「前側」とし、幅広側端部３ｄ側を「後側」とする。
【００２０】
操作レバー７は、固定位置（図１参照）から解除位置（図２参照）までの間で回動可能に、ベース部材２に固設された支持部１８に支持されている。この操作レバー７の回動中心１８ａより先端側は、連動プレート８の基端部に連結されており、基端部から所定範囲が握持部７ａとなっている。図１に示す例では、連動プレート８には、スライド方向に対して直交する方向に長穴が形成されており、その長穴に両者７，８を連結する連結ピンが挿通されている。
【００２１】
操作レバー７には、その回動中心１８ａと握持部７ａとの間に、解除位置側から固定位置側およびベース部材２側に向かって、握持部７ａ側が屈曲した屈曲部７ｂが形成されている。さらに、操作レバー７の屈曲部７ｂの凸側には、窪み７ｃが形成されている。この窪み７ｃは、標準的な手の大きさを有する者が操作レバー７を握った際にその手の親指が自然に沿う位置に形成され、更に、親指の腹面が沿いやすい形状に形成されていることが望ましい。
【００２２】
操作レバー７に連結されている連動プレート８（連動手段）は、図１（ｂ）および図２（ｂ）に示すように、その両側部にカム１９を有している。そして、連動プレート８の両側部は、ローラ２１がスプリング２２の力によって押圧されており、連動プレート８が前後にスライド移動すると、ローラ２１は、連動プレート８のスライド方向（取付プレート３のスライド方向と同じ）に対して直交する方向へ移動してカム１９に追従する。
【００２３】
係止機構４は、蟻溝９に嵌合した取付プレート３をスライド不能に係止して、取付プレート３が蟻溝９から離脱することを防止するものである。本実施形態における係止機構４は、連動プレート８のカム１９に追従して移動するローラ２１と、このローラ２１をカム１９に向かって押圧するスプリング２２と、ローラ２１の軸と一体に移動するように設けられた係合爪１３と、係合爪１３をスライド自在に案内する係合爪案内溝２４とで主に構成されている。
【００２４】
押し出し機構６は、ベース部材２に固設された支持部２６に回動自在に支持されたアーム部材２７を有している。アーム部材２７の基端部は、連動プレート８の先端部に連結されており、アーム部材２７の先端部は、蟻溝９に嵌合した取付プレート３を、蟻溝９の溝幅が広くなる方向に押し出す押圧部２７ａとして機能する。図１に示す例では、アーム部材２７には、その長手方向に延びた長穴が形成されており、その長穴にアーム部材２７と連動プレート８を連結する連結ピンが挿通されている。この押圧部２７ａは、取付プレート３の幅狭側端部３ｃの幅方向中央位置近傍を押圧する。本実施形態では、図１、図２に示すように、アーム部材２７の先端部の側方に膨出した部分が押圧部２７ａとなっている。アーム部材２７の回動中心２８からアーム部材２７の押圧部２７ａまでの腕長さＬ１は、回動中心２８から入力点２９までの腕長さＬ２より短くその比は、約１：２となっている。この比率は特定の値に限定されないが、この比率を変えることにより、取付プレート３に対する押し出し力を増減させることができる。
【００２５】
連動プレート８は、既述したように、ベース部材２の裏面に形成されたガイド溝１６内に収容されている。このガイド溝１６は、操作レバー７の操作に連動した連動プレート８のスライド移動を阻害しないように形成されており、かつ、ガイド溝１６の側壁の一部が、連動プレート８のスライド方向を前後方向に案内する案内壁１６ａとして機能している。また、連動プレート８は、上記スライド方向に延びた直線部を有する貫通孔１５（図１（ｂ）、図２（ｂ）の例では、その２辺がスライド方向と一致した長方形の貫通孔１５）を有しており、ガイド溝１６内に形成された凸部２０が上記貫通孔１５内に設けられている。この凸部２０の側壁も前記案内壁１６ａと同様の案内壁２０ａとして機能する。
【００２６】
図１に示すように、操作レバー７が固定位置にあるとき、係止機構４の２つの係合爪１３は、取付プレート３の両側部に形成された係合用凹部３１にそれぞれ嵌入し、これにより、蟻溝９に嵌合された取付プレート３がベース部材２に対してスライド不能に係止される。また、操作レバー７が固定位置にあるとき、押し出し機構６のアーム部材２７は、その押圧部２７ａが取付プレート３を押圧しない非押圧状態にある。
【００２７】
一方、操作レバー７が固定位置（図１に示す位置）から解除位置（図２に示す位置）に回動されるとき、カム１９に追従してローラ２１が両外側へ移動することで、係止機構４の係合爪１３は取付プレート３の係合用凹部３１から離脱し、取付プレート３の係止状態が解放される。同時に、押し出し機構６のアーム部材２７が連動プレート８のスライド移動に伴って回動し、その押圧部２７ａが取付プレート３の幅狭側端部３ｃを、蟻溝９の溝幅が広くなる方向に押し出す。
【００２８】
以上のように構成された搭載物取付装置１によれば、搭載物を所定の搭載場所に取り付ける際に、操作レバー７を固定位置にし、搭載物の下面に取付けられた取付プレート３を搭載場所に設置されたベース部材２の蟻溝９に滑り込ませることにより、取付プレート３を蟻溝９に嵌合することができる。取付プレート３が蟻溝９に嵌合すると、係止機構４により、取付プレート３がスライド不能に係止され、操作レバー７を解除位置にしない限り、取付状態が安全に維持される。
【００２９】
一方、搭載物を搭載場所から取り外すために、取付プレート３をベース部材２の蟻溝９から離脱させる際には、図５（ａ）に示すように、作業者が操作レバー７の握持部７ａを握って当該操作レバー７を解除位置に向かって回動させることとなる。このとき操作力に関する力関係は図５または図６に示すようになる。
【００３０】
図６（ａ）に示すように、親指を操作レバー７に添えずに操作レバー７を固定位置から解除位置へ回動させる場合、手からの入力Ｆａは、操作者が特に意識しなければ、操作レバー７に対する握り位置の中央から少し外側（図６において右側）の位置に入力される。このとき、モーメントアームの長さは線分Ｌａの長さに等しい。例えば、取付プレート３が蟻溝９へ強く食い込んでいる等の理由により、取付プレート３を蟻溝から離脱させるのに大きな力が必要となる場合は、入力Ｆａを大きくするとともに、モーメントアームの長さ（線分Ｌａの長さ）をできるだけ長くする必要がある。しかしながら、図６に示す例の場合、手からの入力Ｆａを大きくするためには、操作者が体重を後ろ向きに掛けながら操作レバー７を引くことが必要となるため、操作者はレバー操作に苦労するだけでなく、操作者が転倒してしまうおそれがある。また、モーメントアームの長さ（線分Ｌａの長さ）を長くするには、小指側に力を掛けることを意識してレバー操作をしなければならず、レバー操作に一定のコツが必要となる。
【００３１】
これに対し、図５（ａ）に示すように、親指を操作レバー７の窪み７ｃに添えて操作レバー７を固定位置から解除位置へ回動させる場合は、手からの入力は、親指からの入力Ｆｃと親指以外からの入力Ｆａになり、手の甲を矢印Ｐに示す方向へ回す感覚でレバー操作を行うことで、親指および小指近傍に力が入る。このとき、図５（ｂ）に示すように、入力Ｆａは、操作レバー７に対する握り位置の外側端部（図５において右端部）の位置に入力され、モーメントアームの長さは線分Ｌｂの長さに等しく、図６に示す場合よりも、モーメントアームの長さが長くなることが期待できる。また、親指を支点として、手の甲を矢印Ｐに示す方向へ回す感覚でレバー操作を行うため、小指近傍からの入力Ｆａも自然と大きくなる。これらの結果、連動プレート８を大きな力でスライドさせることができ、レバー操作が比較的小さな力で行えるようになる。
【００３２】
ところで、図５（ｂ）に示すように、親指からの入力Ｆｃは、操作レバー７を固定位置から解除位置に向かって回動させるモーメントを打ち消す方向に働く。しかし、本実施形態における操作レバー７は、屈曲部７ｂを有することから、入力Ｆｃは、ほぼ回動中心１８ａ近傍を向いており、その結果、モーメントアーム（線分Ｌｃの長さ）は極めて小さくなる。つまり、入力Ｆｃによって打ち消されるモーメント量は微量となる。
【００３３】
以上の説明から明らかなように、本発明の実施の形態に係る搭載物取付装置１によれば、操作レバー７が屈曲部７ｂを有するものであるため、レバー操作に慣れない者や腕力の小さな者でも、親指を操作レバー７に添えることで、比較的軽い力でレバー操作を行うことができる。また、操作レバー７の親指を添えるべき位置に窪み７ｃがあることにより、比較的快適に親指を操作レバー７に押し付けることができる。
【００３４】
また、本発明の実施の形態に係る搭載物取付装置１によれば、図１に示すように、操作レバー７の屈曲部７ｂより握持部７ｂ側がベース部材２側に向かって屈曲しているので、操作レバー７が各種作業の邪魔になりにくい。
【００３５】
上記操作レバー７の屈曲部７の屈曲度合いは特に限定されないが、例えば、図５（ｂ）に示すように、操作レバー７の作用点と回動中心１８ａとを通過する線分Ｘと、握持部７ａの側面７ｅ（固定位置から解除位置へレバー操作する際に操作力が加わる方の側面）との成す角度θを屈曲度合いとした場合、角度θがある程度９０°に近い範囲（例えば９０°±４５°或いは９０°±３０°以内）のものであれば、レバー操作の負担が顕著に軽減されることが期待できる。
【００３６】
なお、本実施形態では、「前」、「後」、「上」、「下」の語は、説明の便宜上使用しており、実際に搭載物取付装置１が使用される状況下での前後上下と必ずしも一致するわけではない。
【００３７】
また、本実施形態では、操作レバー７に板状材が用いられているが、操作レバー７の材料は、これに限定されず、例えば、棒状材等の他の材料を用いることもできる。
【産業上の利用可能性】
【００３８】
本発明は、例えば、テレビカメラ、中継用アンテナなどの搭載物を、所望の搭載場所にワンタッチで取付けるために用いられる搭載物取付装置に適用することができる。
【符号の説明】
【００３９】
１    搭載物取付装置
２    ベース部材
３    取付プレート
４    係止機構
６    押し出し機構
７    操作レバー
７ａ  握持部
７ｂ  屈曲部
７ｃ  窪み
８    連動プレート（連動手段）
９    蟻溝（溝）
１８ａ  回動中心
【図１】
2015094385.tif 000003
【図２】
2015094385.tif 000004
【図３】
2015094385.tif 000005
【図４】
2015094385.tif 000006
【図５】
2015094385.tif 000007
【図６】
2015094385.tif 000008